(57)【要約】【課題】  遠隔操作装置を用いて撮像装置を遠隔操作して撮像処理を行う際、被写体やその周辺が暗い場合、適切にＡＦが行われなかったり、ライブビュー画像で被写体を視認するのが難しいという問題があった。【解決手段】  光源を有する遠隔操作装置が通信可能に接続された撮像装置を用いて撮像処理を行うとき、撮像装置は、光源の発光開始または増光の後、ＡＦ動作を実行し、ＡＦ動作が完了すると、その旨を示すデータを前記遠隔操作装置へ送信する。そして、光源の発光停止または減光の後、ＡＥ動作を実行する。遠隔操作装置は、所定の条件を満たすことに応じて光源を発光開始または増光させ、ＡＦ動作の完了を示すデータを撮像装置から受信した後、光源を発光停止または減光させるよう制御する。【選択図】  図５
2017188775.tif 000002
【特許請求の範囲】
【請求項１】
撮像装置および前記撮像装置と通信可能に接続され、光源を有する遠隔操作装置を含む撮像システムであって、
前記撮像装置は、
前記光源の発光開始または増光の後、ＡＦ動作を実行する手段と、
前記ＡＦ動作が完了すると、その旨を示すデータを前記遠隔操作装置へ送信する手段と、
前記光源の発光停止または減光の後、ＡＥ動作を実行する手段を備え、
前記遠隔操作装置は、
所定の条件を満たすことに応じて前記光源を発光開始または増光させ、前記ＡＦ動作の完了を示すデータを受信した後、前記光源を発光停止または減光させるよう制御する発光制御手段を備えることを特徴とする撮像システム。
【請求項２】
前記遠隔操作装置は、
周辺の明るさを測定する手段をさらに備え、
前記測定の結果、所定の明るさよりも暗い場合に、前記発光制御手段は、前記光源を発光開始または増光させるよう制御することを特徴とする請求項１に記載の撮像システム。
【請求項３】
前記遠隔操作装置は、
ライブビュー画像を前記撮像装置から受信する手段と、
前記ライブビュー画像の顔画像を検知する手段と、
前記検知された顔画像と前記遠隔操作装置のユーザの顔画像を照合する手段をさらに備え、
前記照合の結果、一致すれば、前記発光制御手段は、前記光源を発光開始または増光させるよう制御することを特徴とする請求項１に記載の撮像システム。
【請求項４】
前記遠隔操作装置は、
レリーズを指示するためのレリーズコマンドを前記撮像装置へ送信する手段をさらに備え、
前記ＡＦ動作の完了を示すデータを受信した後、前記レリーズコマンドが送信されると、前記発光制御手段は、前記光源を発光停止または減光させるよう制御することを特徴とする請求項１に記載の撮像システム。
【請求項５】
光源を有する遠隔操作装置が通信可能に接続された撮像装置を用いた撮像処理方法であって、
所定の条件を満たすことに応じて前記光源を発光開始または増光させるステップと、
前記光源の発光開始または増光の後、前記撮像装置によるＡＦ動作を実行するステップと、
前記ＡＦ動作が完了した後、前記光源を発光停止または減光させるステップと、
前記光源の発光停止または減光の後、前記撮像装置によるＡＥ動作を実行するステップを備えることを特徴とする撮像処理方法。
【発明の詳細な説明】
【技術分野】
【０００１】
本発明は、遠隔操作によって撮像装置で撮影をするための技術に関する。
【背景技術】
【０００２】
従来、スマートフォンのような携帯通信端末が無線通信を介してデジタルカメラに接続し、ユーザはスマートフォンを用いてデジタルカメラを遠隔操作して撮影することが行われている（特許文献１参照）。このとき、デジタルカメラは撮影中のリアルタイム動画像をスマートフォンに送信し、スマートフォンのディスプレイに表示させる。ユーザはスマートフォンを用いて、リアルタイム動画像で画角や被写体を確認しながらデジタルカメラに撮影指示を行う。
【先行技術文献】
【特許文献】
【０００３】
【特許文献１】特開２０１４−２２０７１５号公報
【発明の概要】
【発明が解決しようとする課題】
【０００４】
上記のような場合、被写体やその周辺が暗いと、リアルタイム動画像が表示されていても写っているものの識別が困難で、ユーザは被写体や画角を確認しづらいという問題があった。
【０００５】
また、被写体の周辺光量が少ない場合、オートフォーカス（ＡＦ）機能が正しく動作せず、ユーザの所望の位置でピントの合った画像を得られないという問題があった。
【課題を解決するための手段】
【０００６】
本願に係る発明の一つによれば、撮像装置および前記撮像装置と通信可能に接続され、光源を有する遠隔操作装置を含む撮像システムであって、前記撮像装置は、前記光源の発光開始または増光の後、ＡＦ動作を実行する手段と、前記ＡＦ動作が完了すると、その旨を示すデータを前記遠隔操作装置へ送信する手段と、前記光源の発光停止または減光の後、ＡＥ動作を実行する手段を備え、前記遠隔操作装置は、所定の条件を満たすことに応じて前記光源を発光開始または増光させ、前記ＡＦ動作の完了を示すデータを受信した後、前記光源を発光停止または減光させるよう制御する発光制御手段を備えることを特徴とする。
【発明の効果】
【０００７】
本発明によれば、遠隔操作装置を用いて撮像装置を遠隔操作して撮像処理を行うとき、被写体やその周辺が暗い場合であっても、適切にＡＦを行ってユーザの所望の被写体の撮像結果を得られるという効果が得られる。
【図面の簡単な説明】
【０００８】
【図１】本発明の一実施例に係る撮像装置の構成の一例を示すブロック図である。
【図２】本発明の一実施例に係る遠隔操作装置の構成の一例を示すブロック図である。
【図３】本発明の一実施例に係る撮像装置と遠隔操作装置を含む撮像システムの構成の一例を示す図である。
【図４】本発明の一実施例に係る遠隔操作装置の画面の一例を示す図である。
【図５】本発明の一実施例に係る撮像装置と遠隔操作装置の動作の一例を示すシーケンス図である。
【図６】本発明の一実施例に係る遠隔操作装置の動作の一例を示すフローチャート図である。
【発明を実施するための形態】
【０００９】
以下に、図面を参照して、この発明の好適な実施の形態を例示的に詳しく説明する。ただし、この実施形態に記載されている構成要素はあくまで例示であり、この発明の範囲をそれらのみに限定する趣旨のものではない。
【００１０】
＜撮像装置の構成＞
図１は本実施形態の撮像装置１００の構成の一例を示す。撮像装置１００は、例えばデジタルカメラのような撮像手段を備えた装置によって実現される。
【００１１】
制御部１０１は、入力された信号や、後述のプログラムに従って撮像装置１００の各部を制御する。なお、制御部１０１が装置全体を制御する代わりに、複数のハードウェアが処理を分担することで、装置全体を制御してもよい。
【００１２】
撮像部１０２は、撮像部１０２に含まれるレンズユニットで結像された被写体光を電気信号に変換し、ノイズ低減処理などを行い、デジタルデータを画像データとして出力する。撮像した画像データはバッファメモリに蓄えられた後、制御部１０１にて所定の演算を行い、記録媒体１１０に記録される。なお、撮像部１０２には、マイクも含まれており、マイクで集音した音声もデジタルデータに変換され、動画像の音声としてや、または、単独の音声データとして記録媒体１１０に記録される。また、レンズユニットは複数のレンズから構成され光学的なズームが可能なものである。また、接続部１１１で接続された外部装置からの要請により、ライブ画像データを出力することも可能である。また、撮像部１０２には、オートフォーカス時に使用するＡＦ補助光の発光ユニットも含まれる。
【００１３】
不揮発性メモリ１０３は、電気的に消去・記録可能な不揮発性のメモリであり、制御部１０１で実行される後述のプログラム等が格納される。
【００１４】
作業用メモリ１０４は、撮像部１０２で撮像された画像データを一時的に保持するバッファメモリや、表示部１０６の画像表示用メモリ、制御部１０１の作業領域等として使用される。
【００１５】
操作部１０５は、ユーザが撮像装置１００に対する指示をユーザから受け付けるために用いられる。操作部１０５は例えば、ユーザが撮像装置１００の電源のＯＮ／ＯＦＦを指示するための電源ボタンや、撮影を指示するためのレリーズスイッチ、画像データの再生を指示するための再生ボタンなどの操作部材を含む。また、後述する表示部１０６に形成されるタッチパネルも操作部１０５に含まれる。なお、レリーズスイッチは、ＳＷ１およびＳＷ２を有する。レリーズスイッチが、いわゆる半押し状態となることにより、ＳＷ１がＯＮとなる。これにより、ＡＦ（オートフォーカス）処理、ＡＥ（自動露出）処理、ＡＷＢ（オートホワイトバランス）処理、ＥＦ（フラッシュプリ発光）処理等の撮影準備を行うための指示を受け付ける。また、レリーズスイッチが、いわゆる全押し状態となることにより、ＳＷ２がＯＮとなる。これにより、撮影を行うための指示を受け付ける。
【００１６】
表示部１０６は、撮影の際のビューファインダー画像の表示、撮影した画像データの表示、対話的な操作のための文字表示などを行う。なお、表示部１０６は必ずしも撮像装置１００が内蔵する必要はない。撮像装置１００は内部又は外部の表示部１０６と接続することができ、表示部１０６の表示を制御する表示制御機能を少なくとも有していればよい。
【００１７】
記録媒体１１０は、撮像部１０２から出力された画像データを記録することができる。記録媒体１１０は、撮像装置１００に着脱可能なよう構成してもよいし、撮像装置１００に内蔵されていてもよい。すなわち、撮像装置１００は少なくとも記録媒体１１０にアクセスする手段を有していればよい。
【００１８】
接続部１１１は、外部装置と接続するためのインターフェースである。本実施形態の撮像装置１００は、接続部１１１を介して、外部装置とデータのやりとりを行うことができる。なお、本実施形態では、接続部１１１は外部装置とＷｉ−Ｆｉで通信するためのインターフェースを含む。制御部１０１は、接続部１１１を制御することで外部装置とのＷｉ−Ｆｉ通信を実現する。なお、通信方式はＷｉ−Ｆｉに限定されるものではない。
【００１９】
＜遠隔操作装置の構成＞
図２は本実施形態の遠隔操作装置２００の構成の一例を示す。遠隔操作装置２００は、例えばスマートフォンのような撮像装置１００と通信可能な通信手段とユーザの操作を受け付ける操作手段を備えた装置によって実現される。遠隔操作装置２００は、例えばタブレットデバイス、パーソナルコンピュータ、携帯電話などであってもよい。
【００２０】
制御部２０１は、入力された信号や、後述のプログラムに従って遠隔操作装置２００の各部を制御する。なお、制御部２０１が装置全体を制御する代わりに、複数のハードウェアが処理を分担することで、装置全体を制御してもよい。
【００２１】
撮像部２０２は、撮像部２０２に含まれるレンズで結像された被写体光を電気信号に変換し、ノイズ低減処理などを行いデジタルデータを画像データとして出力する。撮像した画像データはバッファメモリに蓄えられた後、制御部２０１にて所定の演算を行い、記録媒体２１０に記録される。
【００２２】
不揮発性メモリ２０３は、電気的に消去・記録可能な不揮発性のメモリであり、制御部２０１で実行される各種プログラム等が格納される。撮像装置１００と通信するためのプログラムも不揮発性メモリ２０３に保持され、カメラ通信アプリケーションとしてインストールされているものとする。なお、本実施形態における遠隔操作装置２００の処理は、カメラ通信アプリケーションにより提供されるプログラムを読み込むことにより実現される。なお、カメラ通信アプリケーションは遠隔操作装置２００にインストールされたＯＳの基本的な機能を利用するためのプログラムを有しているものとする。なお、遠隔操作装置２００のＯＳが本実施形態における処理を実現するためのプログラムを有していてもよい。
【００２３】
作業用メモリ２０４は、撮像部２０２で生成された画像データを一時的に保存するバッファメモリや、表示部２０６の画像表示用メモリや、制御部２０１の作業領域等として使用される。また、作業用メモリ２０４は後述する遠隔操作用のアプリケーションプログラムを記憶する。
【００２４】
操作部２０５は、遠隔操作装置２００に対する指示をユーザから受け付けるために用いられる。操作部２０５は例えば、ユーザが遠隔操作装置２００の電源のＯＮ／ＯＦＦを指示するための電源ボタンや、表示部２０６に形成されるタッチパネルなどの操作部材を含む。
【００２５】
表示部２０６は、画像データの表示、対話的な操作のための文字表示などを行う。なお、表示部２０６は必ずしも遠隔操作装置２００が内蔵する必要はない。遠隔操作装置２００は表示部２０６と接続することができ、表示部２０６の表示を制御する表示制御機能を少なくとも有していればよい。
【００２６】
ＧＰＳ受信部２０７は、ＧＰＳ衛星からの信号を受信するものである。制御部２０１では、ＧＰＳ受信部２０７からの情報や公衆網接続部２１２からの情報を用いて、遠隔操作装置２００の現在位置の緯度、経度や高度を求められる。
【００２７】
記録媒体２１０は、撮像部２０２から出力された画像データを記録することができる。記録媒体２１０は、遠隔操作装置２００に着脱可能なよう構成してもよいし、遠隔操作装置２００に内蔵されていてもよい。すなわち、遠隔操作装置２００は少なくとも記録媒体２１０にアクセスする手段を有していればよい。
【００２８】
接続部２１１は、外部装置と接続するためのインターフェースである。本実施形態の遠隔操作装置２００は、接続部２１１を介して、外部装置とデータのやりとりを行うことができる。なお、本実施形態では、接続部２１１は外部装置とＷｉ−Ｆｉで通信するためのインターフェースを含む。制御部２０１は、接続部２１１を制御することで外部装置とのＷｉ−Ｆｉ通信を実現する。なお、通信方式はＷｉ−Ｆｉに限定されるものではない。
【００２９】
公衆網接続部２１２は、公衆無線通信を行う際に用いられるインターフェースである。遠隔操作装置２００は、公衆網接続部２１２を介して、他の機器と通話をしたり、データ通信をしたりすることができる。通話の際には、制御部２０１はマイク２１３およびスピーカ２１４を介して音声信号の入力と出力を行う。本実施形態では、公衆網接続部２１２は３Ｇを用いた通信を行うためのインターフェースを含むものとする。なお、３Ｇに限らず、ＬＴＥ（Ｌｏｎｇ  Ｔｅｒｍ  Ｅｖｏｌｕｔｉｏｎ）やＷｉＭＡＸ（登録商標）、ＡＤＳＬ（Ａｓｙｍｍｅｔｒｉｃ  Ｄｉｇｉｔａｌ  Ｓｕｂｓｃｒｉｂｅｒ  Ｌｉｎｅ）、ＦＴＴＨ（Ｆｉｂｅｒ  Ｔｏ  Ｔｈｅ  Ｈｏｍｅ）であってもよい。また、いわゆる４Ｇといった他の通信方式を用いてもよい。また、接続部２１１および公衆網接続部２１２は必ずしも独立したハードウェアで構成する必要はなく、例えば一つのアンテナで兼用することも可能である。
【００３０】
＜撮像システムの構成＞
図３は、撮像装置１００と遠隔操作装置２００を含む本実施形態の撮像システム３００の構成の一例を示す。撮像装置１００は三脚３０１に固定され、遠隔操作装置２００と無線接続している。被写体３０２であるユーザは遠隔操作装置２００を手元に持って撮像装置１００を遠隔操作する。撮像装置１００は撮像処理により得られるライブビュー画像を遠隔操作装置２００に送信してディスプレイに表示させる。被写体３０２は遠隔操作装置２００のディスプレイで撮像装置１００からのライブビュー画像を見て画角や被写体自身の写り具合を確認することができる。
【００３１】
この時、撮像装置１００と被写体の間の距離が遠いと、撮像装置１００がＡＦ補助光を発光しても、その光量が十分でなく、被写体３０２の周辺が暗い場合、ライブビュー画像で被写体を視認しづらかったり、ＡＦが適切に行われなかったりする。そこで、本実施形態では、遠隔操作装置２００の光源を一時的に発光させることで、被写体３０２を明るく照らすことにより、撮像装置１００のＡＦ動作を補助するとともに、ユーザが被写体の画角等を確認しやすくする。
【００３２】
＜撮像時のシーケンス＞
まず、遠隔操作装置２００は撮像装置１００の遠隔操作用のアプリケーションプログラムを起動して図４（ａ）に示すような操作画面４０１を表示部２０６に表示する。図４（ａ）の操作画面４０１には、撮像装置１００からリアルタイムに受信したライブビュー画像４０２、撮像装置１００にズーム駆動を指示するためのズーム制御部４０３、撮像装置１００に対してレリーズを指示するためのレリーズボタン４０４が表示される。そして、操作画面４０１は発光エリア４０５を含み、後述するように輝度を変更して、発光の強度を変えることで遠隔操作装置２００を保持する被写体３０２を明るく照らすことができる。なお、発光エリア４０５は、遠隔操作用のアプリケーションプログラムに基づき制御部２０１が発光制御できる光源であれば、表示部２０６とは独立した光源を用いて点灯／消灯するなど発光状態の制御をして実現してもよい。また、本実施形態では、発光エリア４０５の面積を変更して明るさを変えるようにしてもよい。
【００３３】
図５は本実施形態の遠隔操作装置２００が撮像装置１００を遠隔操作して撮影を行う場合の動作の一例を示す。なお、以下の動作は、特別な記載がない限り、撮像装置の制御部１０１および遠隔操作装置２００の制御部２０１がそれぞれ各装置の部材を制御することで実現される。
【００３４】
遠隔操作装置２００はレリーズボタン４０４が表示されている領域がタップされたことを検知すると、補助光が必要かどうかを所定の条件にしたがって判定する。例えば、撮像装置１００が被写体（５３０）の明るさを検知し、ＡＦをするのに十分な明るさでなければ補助光が必要であることを示すデータを遠隔操作装置２００に送信し、これによって遠隔操作装置２００は補助光の要否を判定してもよい。撮像装置１００が備えるＡＦ補助光では明るさが不足する場合に補助光が必要であることを示すデータを送信する。あるいは、例えば、遠隔操作装置２００は、遠隔操作装置２００を保持するユーザが被写体となるモード（自撮りモード）が設定されていれば、補助光が必要と判定する。あるいは、撮像装置１００からのライブビュー画像で遠隔操作装置２００を保持するユーザの顔が検出されたりすると、補助光が必要と判定する。これらの場合、さらに遠隔操作装置２００の周辺の明るさを測定し、測定値が所定の明るさよりも暗いことを示せば補助光が必要と判定し、測定値が所定の明るさよりも明るいことを示せば補助光が不要と判定してもよい。なお、遠隔操作装置２００を保持するユーザの顔画像は遠隔操作装置２００のインカメラによって撮影したり、遠隔操作装置２００に予め登録したりしておき、ライブビュー画像から検出された顔画像と照合し、一致するか判定すればよい。
【００３５】
補助光が不要と判定されれば、遠隔操作装置２００はレリーズコマンドを撮像装置１００へ送信し、撮像装置１００はＡＦとＡＥやその他の撮像処理を実行して撮影画像を生成し、記録媒体１１０に記録する。
【００３６】
一方、補助光が必要と判定されれば、遠隔操作装置２００は発光エリア４０５の発光を開始する、又は輝度を高くなるように表示部２０６を制御して（増光処理）、より明るく発光させる（Ｓ５０１）。その結果、図４（ｂ）に示すように発光エリア４０５が強く発光することで被写体（５３１）が明るく照らされた状態で撮像装置１００によって撮像され、ライブビュー画像４２２が表示される。ここで、ＡＦ動作中はレリーズ指示を受け付けないため、レリーズボタン４０４は非表示となっている。
【００３７】
そして、遠隔操作装置２００はＡＦコマンドを撮像装置１００へ送信する（Ｓ５０２）。撮像装置１００はＡＦコマンドを受信すると、ＡＦ動作を開始する（Ｓ５０３）。この時、遠隔操作装置２００において発光エリア４０５が発光していることで、被写体（５３１）が明るく照らされた状態になり、撮像装置１００のＡＦ動作を補助することが可能になる。
【００３８】
撮像装置１００はＡＦ動作を完了すると、ＡＦ完了通知を遠隔操作装置２００へ送信する（Ｓ５０４）。これに応答して、レリーズボタン４０４を再び表示させる。ここで、撮影のために、再度、レリーズボタン４０４をタップするようにユーザに促すメッセージ４３３が表示される。また、撮影の中止を指示するためのキャンセルボタン４３４も表示される。ユーザは明るく照らされた被写体を見ながら構図を確認し、レリーズ指示のタイミングを計ることができる。遠隔操作装置２００はレリーズボタンがタップされたことを検知すると（Ｓ５０５）、発光エリア４０５の発光を停止する、又は輝度が低くなるように制御して（減光処理）、より暗く発光させる（Ｓ５０６）。その結果、図４（ｃ）に示すように発光エリア４０５が暗くなることで被写体（５０３）の明るさが元に戻った状態で撮像装置１００によって撮像され、その結果、ライブビュー画像４３２が表示される。
【００３９】
遠隔操作装置２００から撮像装置１００に対してＡＥコマンド（Ｓ５０７）が発行され、それを受けた撮像装置１００は、ＡＥ動作を行う（Ｓ５０８）。ＡＥ動作が終了すると、撮像装置１００は他に必要な撮像処理や画像処理を実行して撮像画像を生成し、記録媒体１１０に記録する（Ｓ５０９）。
【００４０】
なお、撮像装置はＡＥ動作が終了すると、ＡＥ完了通知を遠隔操作装置２００に送信し、遠隔操作装置がＡＥ完了通知に応答してレリーズコマンドを撮像装置１００に自動的に発行する。そして、撮像装置１００は、レリーズコマンドを受けると他に必要な撮像処理や画像処理を実行して撮像画像を生成し、記録媒体１１０に記録するようにしてもよい。
【００４１】
＜遠隔操作装置の動作＞
次に、遠隔操作装置２００の動作を図６に示すフローチャートを用いて説明する。以下の動作は遠隔操作装置２００の制御部２０１がＯＳや遠隔操作要のアプリケーションプログラムを起動し、これらにしたがって各部材を制御することによって実現される。
【００４２】
制御部２０１はユーザによる所定の操作、本実施形態ではレリーズボタン４０４のタップ操作を受け付けると（Ｓ６０１でＹｅｓ）、補助光が必要かどうかを判定する（Ｓ６０２）。補助光が不要と判定されれば（Ｓ６０２でＮｏ）、制御部２０１はレリーズコマンドを撮像装置１００へ送信し、撮影を指示する（Ｓ６０３）。一方、補助光が必要と判定されれば（Ｓ６０２でＹｅｓ）、制御部２０１は発光エリア４０５の発光を開始する、又は増光する（Ｓ６０４）。その後、制御部２０１はＡＦコマンドを撮像装置１００へ送信する（Ｓ６０５）。そして、制御部２０１はＡＦ完了通知を撮像装置１００から受信すると（Ｓ６０６でＹｅｓ）、ユーザによる所定の操作、本実施形態ではレリーズボタンのタップ操作を受け付けたかどうか判定する（Ｓ６０７）。ユーザは、明るく照らされた被写体を見ながら構図やシャッターチャンスを確認し、所望のタイミングでレリーズボタン４０４をタップする。
【００４３】
制御部２０１はタップ操作を受け付けると（Ｓ６０７でＹｅｓ）、発光エリアの発光を停止する、又は減光する（Ｓ６０８）。その後、制御部２０１はＡＥコマンドを撮像装置１００に送信する（Ｓ６０９）。そして、撮像装置１００で撮像処理や記録処理が実行されることにより得られた撮像画像を撮像装置１００から受信し（Ｓ６１０でＹｅｓ）、プレビューとして表示部２０６に表示する（Ｓ６１１）。
【００４４】
一方、レリーズ指示を受け付けなければ（Ｓ６０７でＮｏ）、キャンセルボタンへのタップ操作による中止指示を受け付けたか否かを判定し（Ｓ６１２）、中止指示を受け付ければ（Ｓ６１２でＹｅｓ）、本処理を終了する。
【００４５】
なお、ステップＳ６０６において、さらにＡＦ完了通知の内容を判定し、ＡＦの成功を示す場合には上述のようにステップＳ６０７に遷移し、失敗を示す場合にはその旨を表示して本処理を中止するようにしてもよい。
【００４６】
なお、発光エリア４０５が発光／増光しているとき、ＡＦ完了通知を受け付けた後は、レリーズ指示とは別に、ユーザによる消灯／減光の指示を受け付けられるようにしてもよい。また、ＡＦ完了通知を受け付けてから所定時間の経過後に自動的に発光エリア４０５の発光の停止／減光を行うようにしてもよい。
【００４７】
なお、本実施形態では遠隔操作装置２００が発光エリアの発光状態を制御する場合について説明したが、撮像装置１００がリモート制御するようにしてもよい。この場合、撮像装置１００が自身の撮影動作に合わせて、適宜、命令を送信して制御することが可能になる。
【００４８】
また、本実施形態では補助光として遠隔操作装置２００の発光エリア４０５を使用する場合について説明したが、さらに撮像装置１００のＡＦ補助光も併用するようにしてもよい。
【００４９】
以上のように、遠隔操作装置２００を保持するユーザが被写体となっていて、その周辺が暗い状況であっても、遠隔操作装置２００の発光部材によって被写体が明るく照らされるので、撮像装置１００がＡＦを適切に行うことができる。また、撮像装置１００から送信されるライブビュー画像も明るくなるため、ユーザは視認し易くなり、撮影前に画角等を十分に確認した上で撮影指示を行うことができる。また、撮影時は元の明るさに戻るので、撮像装置１００はＡＥを適切に行うことができる。
【００５０】
（他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2017188775.tif 000003
【図２】
2017188775.tif 000004
【図３】
2017188775.tif 000005
【図４】
2017188775.tif 000006
【図５】
2017188775.tif 000007
【図６】
2017188775.tif 000008